(57)【要約】本発明の一つの側面は、ライブコンサートの出席者にビデオを提供する方法である。ライブコンサートの種々のビューのビデオが取り込まれる。ライブコンサートが行われている間、複数のビデオストリームがライブコンサートの出席者に提供される。デジタルビデオストリームが複数あることで、ライブコンサートの出席者はその複数のデジタルビデオストリームのうちどれを見るかを、その出席者に関連付けられた携帯型デジタル装置を使って選択することができるようになる。その結果、出席者はライブコンサートの種々のビューのうちから選択ができる。
2008520163.tif 000002
【特許請求の範囲】
【請求項１】
ライブコンサートの種々のビューを取り込むよう集団的に動作しうる、それぞれがビデオ信号を提供する複数のビデオカメラと；
ライブコンサートが行われている間、該ライブコンサートの出席者に、複数のデジタルビデオストリームであってそのそれぞれが前記複数のビデオカメラによって提供されるビデオ信号のそれぞれに応じたものである複数のデジタルビデオストリームを提供するよう動作しうるストリーミング・サーバー、
とを有するライブコンサート・ビデオシステムであって：
前記ストリーミング・サーバーによって提供される前記複数のデジタルビデオストリームのため、ライブコンサートの出席者は、前記複数のデジタルビデオストリームのうちどれを見るかを、その出席者に関連付けられたポータブルデジタル装置を使って選択することができ、その結果、出席者はライブコンサートの種々のビューのうちから選択ができるシステム。
【請求項２】
前記ストリーミング・サーバーがさらに、事前に記録されたコンテンツを含むデジタルビデオストリームを提供するよう動作しうる、請求項１記載のシステム。
【請求項３】
前記複数のデジタルビデオストリームの少なくとも一つが、前記ポータブルデジタル装置を使って聞けるデジタルオーディオストリームと同期されている、請求項１記載のシステム。
【請求項４】
前記複数のデジタルビデオストリームの少なくとも一つが、オーディオ信号に関連付けられていない、請求項１記載のシステム。
【請求項５】
前記コンサートの特定の時間期間の間に特定の出席者によって前記複数のデジタルビデオストリームのどれが選択されたかに関する統計を取り込むよう動作しうる、当該システムに付随するコンピュータソフトウェアをさらに有する、請求項１記載のシステム。
【請求項６】
前記複数のデジタルビデオストリームの少なくとも一つが、前記ストリーミング・サーバーによって、ポイントツーポイント接続を使って前記ポータブルデジタル装置に提供される、請求項１記載のシステム。
【請求項７】
前記複数のデジタルビデオストリームの少なくとも一つが、前記ストリーミング・サーバーによって、ポイントツーマルチポイント接続を使って前記ポータブルデジタル装置に提供される、請求項１記載のシステム。
【請求項８】
前記ストリーミング・サーバーが、前記複数のデジタルビデオストリームを、通信ネットワークを通じて前記ポータブルデジタル装置に提供する、請求項１記載のシステム。
【請求項９】
前記ポータブルデジタル装置が、無線通信リンクを通じて前記複数のデジタルストリームの一つを受信する無線装置である、請求項１記載のシステム。
【請求項１０】
ライブコンサートの種々のビューのビデオを取り込む段階と；
ライブコンサートが行われている間、該ライブコンサートの出席者に複数のデジタルビデオストリームを提供する段階とを有する、ライブコンサートの出席者にビデオを提供する方法であって、前記複数のデジタルビデオストリームのため、ライブコンサートの出席者は、前記複数のデジタルビデオストリームのうちどれを見るかを、その出席者に関連付けられたポータブルデジタル装置を使って選択することができ、その結果、出席者はライブコンサートの種々のビューのうちから選択ができる方法。
【請求項１１】
特定のポータブルデジタル装置が前記複数のデジタルビデオストリームを閲覧のために受信する権限を有しているかどうかを判別する段階と；
前記ポータブルデジタル装置が権限を有していないと判別された場合、前記特定のポータブルデジタル装置が前記複数のデジタルビデオストリームのうち少なくとも一つを受信することを防止する段階、
とをさらに有する、請求項１０記載の方法。
【請求項１２】
ライブコンサートの特定の出席者が前記複数のデジタルビデオストリームを見る権限を有しているかどうかを判別する段階と；
前記特定の出席者が見る権限を有していないと判別された場合、前記特定の出席者が前記複数のデジタルビデオストリームのうち少なくとも一つを見ることを防止する段階、
とをさらに有する、請求項１０記載の方法。
【請求項１３】
前記ポータブルデジタル装置が電話であり、権限はその電話に関連付けられた識別コードを使って判別される、請求項１１記載の方法。
【請求項１４】
権限が部分的には、ライブコンサートのチケットに付随している識別コードの入力に応じて判別される、請求項１１記載の方法。
【請求項１５】
コンサートの出席者に、事前に記録されたコンテンツを含む少なくとも一つのデジタルビデオストリームを提供する段階をさらに有する、請求項１０記載の方法。
【請求項１６】
前記ライブコンサートの少なくとも一部分のデジタルビデオストリームを、そのライブコンサートが終結したあとにそのライブコンサートの出席者に提供する段階をさらに有する、請求項１０記載の方法。
【請求項１７】
前記ライブコンサートの少なくとも一人の出席者が、前記ライブコンサートの少なくとも一部分のストリームまたは記録へのアクセスを別の人物に許諾することが許容される、請求項１６記載の方法。
【請求項１８】
ライブコンサートが行われている間にそのライブコンサートの非出席者に複数のデジタルビデオストリームを提供する段階をさらに有する、請求項１０記載の方法であって、前記複数のデジタルビデオストリームのため、前記ライブコンサートの非出席者は、前記複数のデジタルビデオストリームのうちどれを見るかを、その非出席者に関連付けられたポータブルデジタル装置を使って選択することができ、その結果、その非出席者はライブコンサートの種々のビューのうちから選択ができる方法。
【請求項１９】
前記複数のデジタルビデオストリームが前記ライブコンサートの非出席者に、少なくとも一つの無線通信リンクを使って提供される、請求項１８記載の方法。
【請求項２０】
前記ポータブルデジタル装置が無線電話機である、請求項１０記載の方法。
【請求項２１】
前記ポータブルデジタル装置がコンピュータである、請求項１０記載の方法。
【請求項２２】
特定の時間期間の間に特定の出席者によって前記複数のデジタルビデオストリームのどれが選択されたかに関する統計を取り込む段階をさらに有する、請求項１０記載の方法。
【請求項２３】
表示画面と；
コンピュータ可読記憶媒体と；
前記コンピュータ可読記憶媒体上に記憶されており、当該ポータブルデジタル装置上で走るコンピュータソフトウェアとを有するポータブルデジタル装置であって、前記コンピュータソフトウェアはライブコンサート中に、当該ポータブルデジタル装置のユーザーによる選択肢入力に応じて、ライブコンサートビデオを表示画面に出力させ、前記選択肢入力は、それぞれが異なるビデオカメラによって取り込まれたそのライブコンサートの複数の異なるビューのうちの一つの選択を表すものである、装置。
【請求項２４】
前記ライブコンサートビデオを受信するよう動作しうる無線通信リンクをさらに有する、請求項２３記載の装置。
【請求項２５】
前記コンピュータソフトウェアがさらに、当該ポータブルデジタル装置が前記ライブコンサートビデオを出力する権限を有しているかどうかを判別し、当該ポータブルデジタル装置が権限を有していないと判別された場合、前記ライブコンサートビデオの出力を防止するよう動作しうる、請求項２３記載の装置。
【請求項２６】
前記コンピュータソフトウェアがさらに、前記ライブコンサートのある特定の出席者が前記ライブコンサートビデオを見る権限を有しているかどうかを、該特定の出席者によって与えられる当該ポータブルデジタル装置への入力に基づいて判別し、
前記特定の出席者が権限を有していないと判別された場合、前記ライブコンサートビデオの出力を防止するよう動作しうる、請求項２３記載の装置。
【請求項２７】
前記ポータブルデジタル装置が電話であり、権限はその電話に関連付けられた識別コードを使って判別される、請求項２５記載の装置。
【請求項２８】
権限が部分的には、ライブコンサートのチケットに付随している識別コードの入力に応じて判別される、請求項２５記載の装置。
【請求項２９】
権限が部分的には、ライブコンサートのチケットに付随している識別コードの入力に応じて判別される、請求項２６記載の装置。
【請求項３０】
権限の判別が、当該ポータブルデジタル装置以外の別の装置との通信ネットワークを通じた通信を含む、請求項２５記載の装置。
【請求項３１】
前記コンピュータソフトウェアがさらに、前記ライブコンサートが終結したあとに、前記ライブコンサートの少なくとも一部分のキャッシュまたは記録について、アクセスをコントロールし、表示画面上での閲覧を許容するよう動作しうる、請求項２３記載の装置。
【請求項３２】
前記コンピュータソフトウェアがさらに、当該ポータブルデジタル装置がある特定の地理的領域内に位置していない場合には前記ライブコンサートビデオの閲覧を防止するよう動作しうる、請求項２３記載の装置。
【請求項３３】
当該ポータブルデジタル装置が無線電話機である、請求項２３記載の装置。
【請求項３４】
当該ポータブルデジタル装置がコンピュータである、請求項２３記載の装置。
【発明の詳細な説明】
【技術分野】
【０００１】
本発明は概括的にはコンサートまたはその他のライブイベントに、より具体的にはビデオシステムおよび方法に関する。
【背景技術】
【０００２】
コンサートなどを含むいくつかのライブイベントでは、ライブイベントのビデオがスクリーン上で参加者に呈示される。このビデオは、しばしばそのライブイベントの出席者が、現在進行中のイベントを、ビデオがない場合よりよく見ることを許容する。たとえば、出席者がライブイベントが行われているステージから遠い場合、ビデオ映像は、出席者が自分の座席位置から見えるよりもクローズアップされた表示を提供しうる。しかし、残念なことに、そのようなイベントにおいてスクリーン上にどんなコンテンツが表示されるかの選択は、イベントを見る人ではなく、スクリーンのオペレーターまたはイベントを管理する人物に託されている。
【発明の開示】
【課題を解決するための手段】
【０００３】
本発明の一つの側面は、ライブコンサートの出席者にビデオを提供する方法である。ライブコンサートの種々のビューのビデオが取り込まれる。ライブコンサートが行われている間、複数のビデオストリームがライブコンサートの出席者に提供される。デジタルビデオストリームが複数あることで、ライブコンサートの出席者はその複数のデジタルビデオストリームのうちどれを見るかを、その出席者に関連付けられた携帯型デジタル装置を使って選択することができるようになる。その結果、出席者はライブコンサートの種々のビューのうちから選択ができる。本発明はいかなるライブイベントについても使用できる。
【発明の効果】
【０００４】
本発明はいくつかの重要な技術的効果をもつ。本発明の実施形態は、本発明の範囲から外れることなく、これらの効果の一つももたないことも、一部だけをもつことも、すべてをもつこともある。本発明は、座席位置が悪いライブイベントの出席者が、イベントのよりよいビューを得ることを可能にする。本発明は、ライブイベントの出席者の観覧経験を豊かにしうる。出席者にライブイベントにおいて見る特定のビデオ画像に対する制御を与えることによって、出席者が単にイベント主催者によって選ばれたビデオを呈示される場合に比べて、出席者はイベントのより好ましいビューが得られる。本発明は、イベントにおける出席者の全体的な経験を向上させることによってライブイベントの出演者の評判を高めることもできる。
【０００５】
本発明およびその効果のより完全な理解のため、ここで付属の図面とともに以下の記述が参照される。
【発明を実施するための最良の形態】
【０００６】
本発明の好ましい実施形態およびその利点は、図面の図１ないし図３を参照することによって最もよく理解される。同様の参照符号はさまざまな図の同様または対応する部分について使われる。
【０００７】
図１は、本発明によって用いられる一つまたは複数のソフトウェアとの関連で使用されうる汎用コンピュータ１０を示している。汎用コンピュータ１０は、よく知られたＯＳ２、ユニックス、マックＯＳ、リナックスおよびウィンドウズ（登録商標）の諸オペレーティングシステムまたはその他のオペレーティングシステムのいずれを実行するよう適応されていてもよい。汎用コンピュータ１０はプロセッサ１２、ランダムアクセスメモリ（RAM）１４、読み出し専用メモリ（ROM）１６、マウス１８、キーボード２０ならびにプリンタ２４、ディスクドライブ２２、ディスプレイ２６および通信リンク２８のような入出力装置を有する。本発明は、RAM１４、ROM１６、リムーバブル記憶装置、PRAM、NV-RAMまたはディスクドライブ２２に格納されうるプログラムを含んでいてもよく、プロセッサ１２によって実行されてもよい。通信リンク２８はコンピュータネットワークに接続されてもよいが、電話線、アンテナ、ゲートウェイ、無線構内ネットワークまたは無線広域ネットワークまたは他のいかなる種類の通信リンクに接続されることもできる。ディスクドライブ２２は多様な種類の記憶メディアを含みうる。たとえば、フロッピー（登録商標）ディスクドライブ、ハードディスクドライブ、DVD-ROMドライブ、RAMディスク、コンパクトフラッシュ（登録商標）カード、メモリースティック、CD-ROM/RAM/RWまたはDVD-ROM/RAM/RWドライブまたは磁気テープドライブである。本実施形態は複数のディスクドライブ２２を用いるが、本発明の範囲から外れることなく単一のディスクドライブ２２を使うこともできる。図１は、本発明とともに使用されうるコンピュータの一例を提供するものである。本発明は、汎用コンピュータ以外のコンピュータや通常のオペレーティングシステムのない汎用コンピュータとともに使用されることもできる。
【０００８】
本発明は、媒体とともに含まれている論理を含む。この例では、論理は汎用コンピュータ上で実行可能なコンピュータソフトウェアを含む。媒体は、汎用コンピュータ１０に付随する一つまたは複数の記憶装置を含みうる。本発明は、コンピュータソフトウェア、コンピュータハードウェアまたはソフトウェアおよびハードウェアの組み合わせにより実装されうる。論理は、本発明の範囲から外れることなく、他のいかなる媒体内に埋め込まれていてもよい。
【０００９】
本発明は複数の汎用コンピュータ１０をネットワークで接続してコンピュータネットワークとしたものを用いてもよい。最も一般的には、汎用コンピュータ１０はインターネットを通じておよび／またはクライアント・サーバー・ネットワークにおいてネットワーク接続される。本発明は、別個のコンピュータネットワークをそれぞれ専用ネットワーク、仮想閉域網または公衆ネットワークによってリンクされた組み合わせとともに使われてもよい。
【００１０】
図２は、本発明のある実施形態を有する一つのシステムのアーキテクチャのブロック図を示している。システムはカメラ５０、エンコーダ５２、ビデオ・ミキシング・ボード５４、主エンコーダ５６、会場サーバー５８、会場ディスプレイ６０、ストリーミング・サーバー６２、アプリケーション・サーバー６４、アプリケーション配信サーバー６６、SMS/MMSゲートウェイ６８、SMTPサーバー７０、イベント・マーケティング・システム７２、チケット管理システム７４、レビュー・ワークステーション７５、公開ワークステーション７７、ビデオ配信システム５９および無線装置７６を有する。本発明の背景におけるこれらの装置のそれぞれの機能は以下でより詳細に論じる。本発明のさまざまな実施形態は、本発明の範囲から外れることなく、構成要素がより多かったり少なかったりするであろうことは注意しておくべきであろう。図２において示されるさまざまな装置の機能は、複数の装置の機能が単一の装置によって実行されるように組み合わされてもよい。あるいはまた、他の実施形態では、図２に示されるシステムでは単一の装置によって実行される諸機能が、代替的な実施形態の複数のおよび／または冗長な装置によって実行されることもある。
【００１１】
ここでより完全に論じる他の機能のうちでも、図２に示されたシステムは、ライブイベントの出席者（または要求される信号を受信することのできる別の人物）がライブイベントの複数のビデオストリームのうちの一つを選択することを許容する。各ビデオストリームは、異なる視点からイベントのビデオを生成している異なるカメラから受信されたビデオ信号を含みうる。こうして、本発明は、ユーザーがさまざまな視点からイベントを見ることを許容し、見る者がある特定の時間期間においてそのイベントを見たい視点を選択することを許容する。ビデオ信号という用語は、広く任意のアナログまたはデジタルのビデオ表現を指すことが意図されており、いかなる特定の型のビデオ信号にも限定されない。
【００１２】
本発明は、さまざまな種類のライブイベントにおいて使用できる。本発明が使用されうるライブイベントの例としては、コンサート、スポーツのイベント、演説、演劇、オペラ、ダンス・ショーおよびサーカスが含まれうる。しかしながら、本発明はこれらの種類のライブイベントのための使用に限定されるものではなく、いかなる種類のライブイベントでも使用できる。
【００１３】
以下では、図２に示されたシステムのさまざまな構成要素の機能をより詳細に記載する。システムが、現在進行中のライブイベントのユーザー選択されたビデオを提供する機能に加えて、図２のシステムは他のさまざまな種類の機能をも提供することができ、それについても以下で述べる。
【００１４】
本発明は、ライブコンサートまたはライブのスポーツイベントにおいて特に有用でありうる。これらの種類のイベントでは、出席者はしばしば、イベントを見るための「最良」の位置のためのチケットを買おうと殺到する。本発明は、そのようなイベントにおいてより多くの出席者が、その出席者のチケットによって許されるイベントを見る位置よりも「よりよい」位置から取ったイベントのさまざまなビデオを見ることによって、イベントの「よりよい」ビューを得ることを許容しうる。これは、「よい」チケットの数を増すことができ、より高いチケット価格を課すことを許容しうる。
【００１５】
図２のシステムは、複数のカメラ５０を含んでいる。出席者がライブイベントのビデオを見ることのできる複数の視点を提供するよう、カメラ５０は、ライブイベントを催している会場のさまざまな位置に配置されうる。カメラ５０は、遠景、中距離ビューおよび／またはクローズアップビューを提供しうる。カメラ５０は、ビデオカメラ撮影者によって操作されてもよいし、遠隔制御によって操作されてもよいし、あるいは人間の制御なしにビデオを取り込むのでもよい。カメラ５０は、本発明の範囲から外れることなくデジタルまたはアナログ形式のビデオを取り込みうる。ビデオがアナログ形式で取り込まれる場合には、カメラ５０の内部で、エンコーダ５２において、あるいは他のハードウェア（明示的に図示せず）を使ってデジタル形式に変換されてもよい。本発明の範囲から外れることなく使用されうるカメラ５０はいくらでもある。カメラ５０はまた、任意的に、進行中のライブイベントのスチール写真を撮る機能をも有していてもよい。スチール写真は会場ディスプレイ６０あるいは無線装置７６（またはその他の装置）のいずれかに、定期的に（たとえば10秒ごとに）またはランダムな間隔で提供されうる。カメラ５０がスチール写真を撮る組み込み機能を有していない場合には、そのようなスナップショット機能を提供するために、ビデオのあるフルフレーム（たとえばインターレースされたビデオの１フレームもしくは２フレームまたは順次走査ビデオの１フレーム）が使用されてもよい。
【００１６】
ビデオがカメラ５０によって「取り込まれる」からといって、取り込まれたビデオが記録されてライブイベントのコピーが作成されるとは限らない。のちにさらに述べるように、いくつかの実施形態では、取り込まれたビデオは該ビデオを記録することなくエンドユーザーにストリーミングされてもよい。そのような実施形態では、ビデオは、本発明に基づいてビデオを再ブロードキャストするのに十分な長さの時間期間にわたって取り込まれるのみでありうる。
【００１７】
アナログビデオ信号をデジタルビデオ信号に変換するためにエンコーダ５２が使用されうる。エンコーダ５２はまた、ある特定のフォーマットのデジタルビデオ信号を、ストリーミング・サーバー６２に供給するために異なるデジタルビデオフォーマットのデジタルビデオ信号に変換するためにも使用されうる。この実施形態では、エンコーダ５２は、ハードウェアおよび汎用コンピュータ１０上で走るコンピュータソフトウェアの組み合わせを有する。しかしながら、エンコーダ５２は、本発明の範囲から外れることなく、専用ハードウェアまたは汎用コンピュータ１０上で走るソフトウェアであることもできる。
【００１８】
この実施形態では、各カメラ５０について一つのエンコーダ５２がある。各エンコーダ５２は、カメラ５０からビデオ信号を受領し、ストリーミング・サーバー６２に供給するための一つまたは複数の信号をエンコードする。代替的な実施形態では、各エンコーダ５２が複数のカメラ５０に奉仕してもよい。そのような実施形態では、エンコーダ５２は、該エンコーダ５２に接続された複数のカメラ５０のためのエンコードを実行するために走っている複数のプロセスを有しうる。いくつかの実施形態では、エンコーダ５２は、複数のカメラ５０または単一のカメラ５０のためのエンコードを実行する複数のプロセッサを有していてもよい。
【００１９】
多くのライブイベント会場は会場ディスプレイ６０を有する。会場ディスプレイは典型的には一つまたは複数の大型スクリーンを有しており、そこでイベント出席者は、イベントについての文字情報、イベントについてのスチール写真、イベントについてのグラフィック情報および／またはライブイベントのビデオを見ることができる。いくつかの事例では、事前に記録されたビデオも会場ディスプレイ６０で表示される。図２に示されるシステムの他の要素と同様、会場ディスプレイ６０は、本発明の範囲から外れることなく省略されうる。さらに、会場は複数のディスプレイ６０を有していてもよい。
【００２０】
この実施形態では、会場ディスプレイ６０は、ライブイベントのビデオがライブイベントの出席者に表示されることを許容する。カメラ５０の出力はビデオ・ミキシング・ボード５４に供給される。ビデオ・ミキシング・ボード５４のオペレーターは、一つまたは複数のカメラ５０からの一つまたは複数のビデオ信号を、任意の特定の時点において会場ディスプレイ６０に出力されるべく選択しうる。ビデオ・ミキシング・ボード５４からの出力信号はビデオ配信システム５９に提供され、次いでこのビデオ配信システム５９がビデオをビデオディスプレイ６０に表示する。いくつかの会場では、ビデオ・ミキシング・ボード５４の出力は会場ディスプレイ６０に直接与えられうる。他の実施形態では、特に会場がコンテンツを表示するための複数のディスプレイを有するところでは、ビデオ配信システムは複数スクリーンにビデオを提供するために使用されうる。ビデオ配信システムは、本発明の範囲から外れることなく省略されうる。
【００２１】
会場サーバー５８も会場ディスプレイ６０に信号を提供しうる。ある時にはミキシング・ボード５４からのビデオが表示される一方、他の時には会場サーバー５８の出力が表示される（会場のビデオオペレーターによって制御されて、あるいは可能性としてはいくつかの実施形態では会場サーバー５８を使って制御されて）。さらに、ビデオ・ミキシング・ボード５４の出力は主エンコーダ５６に供給されうる。主エンコーダ５６はエンコーダ５２と類似または同一である。主エンコーダ５６はこの実施形態では別個に図示されている。これは、主エンコーダ５６は、無線装置７６のユーザーも会場ディスプレイ６０に表示されているのと同じビデオを見ることを選びうるように会場ディスプレイ６０に送られるビデオ信号をエンコードするために使用されうるからである。ストリーミング・サーバー６２が主エンコーダ５６の出力の一時的なキャッシュを遅延再生のために保持する場合には、このビデオストリームキャッシュが後刻、ライブイベントが終わったあとで、ライブイベントの全部または一部分を無線装置７６（または他の装置）の操作者に対して再生するために使用されることができる。いくつかの実施形態では、ストリーミング・サーバー６２（または他の装置）はビデオ、オーディオまたはオーディオ／ビデオストリームをのちの使用のために記録しうる。そのような記録も、ライブイベントの全部または一部分を無線装置７６（または他の装置）の操作者に対して再生するために使用されることができる。
【００２２】
いくつかの実施形態では、エンコーダ５２および主エンコーダ５６は、会場の主サウンドボード（明示的には図示せず）からの出力も受け取ってもよい。こうして、エンコーダ５２および主エンコーダ５６はオーディオ信号をもエンコードしうる。オーディオ信号は、エンコーダ５２および主エンコーダ５６によって受け取られてエンコードされるビデオ信号と同期されていてもよい。ビデオ信号の場合と同様、オーディオ信号は本発明の範囲から外れることなく、アナログまたはデジタル信号であることができる。本発明の範囲から外れることなく、いかなるビデオ信号またはオーディオ信号が、いかなる許容可能なデジタルフォーマットでデジタル式にエンコードされてもよい。いくつかの実施形態では、カメラ５０がオーディオ信号を生成してもよい。
【００２３】
ストリーミング・サーバー６２は、デジタルビデオを無線装置７６（または他の装置）に対してストリーミングするために使用されうる。ストリーミング・サーバー６２は会場内（または他のどこか）に位置されていることができ、ビデオのストリーミングを無線式に無線装置７６に提供するために組み込みの無線ネットワーキング・ハードウェアを有していてもよい。あるいはまた、ストリーミング・サーバー６２は無線ネットワークまたは有線リンクおよび無線リンクの両方を含むネットワークに接続されているのでもよい。最終的には、ストリーミング・サーバー６２によってストリーミングされるビデオは、無線式に無線装置７６に（または有線式もしくは無線式に他の装置に）提供されうる。ストリーミング・サーバー６２は、一つまたは複数のカメラ５０からの、および／またはビデオ・ミキシング・ボード５４からのビデオを、デジタルストリームの形で、無線装置７６に、リアルタイムまたはリアルタイムに近い仕方で提供しうる。あるいはまた、ビデオは時間遅延されてストリーミングされることもできる。
【００２４】
この実施形態では、ストリーミング・サーバー６２はストリーミングされたビデオを無線装置７６に無線通信を使って提供するものとして示されているが、無線通信は任意的である。いくつかの実施形態では、ストリーミングサーバー６２はストリーミングされたデジタルビデオを有線通信ネットワークを通じて提供してもいいし、あるいはさもなければ、ビデオを、ストリーミングされたデジタルビデオを受け取ってそのデジタルビデオをディスプレイに出力する機能のある装置に、有線通信リンクを通じて提供してもよい。
【００２５】
この実施形態では、ストリーミング・サーバー６２は、ライブイベントの進行中に、エンコーダ５２および主エンコーダ５６から受領されたビデオ信号の複数のデジタルビデオストリームを提供する。実施形態によって、ストリーミング・サーバー６２は単にビデオをストリーミングされた仕方で、記録することなく、提供してもよい。あるいはまた、ストリーミング・サーバー６２は、受領するビデオストリームの一部または全部を、そうしたビデオストリームの将来の繰り返された再生を許容するために記録してもよい。
【００２６】
ストリーミング・サーバー６２が、デジタルビデオストリームを無線装置７６または他の装置（明示的には図示せず）に提供するに使うのは、ポイントツーポイント、ポイントツーマルチポイント、ピアツーピア、マルチポイントツーマルチポイントの通信またはそれらの任意の組み合わせでありうる。ストリーミング・サーバー６２と無線装置７６（または他の装置）との間の通信のこれらの形態はすべて、本発明の範囲によって考えられている。
【００２７】
エンコーダ５２および主エンコーダ５６の記述に関連して上記したように、ストリーミング・サーバー６２によってストリーミングされるデジタルビデオはオーディオ信号を含んでいてもいなくてもよい。いくつかの場合には、デジタルビデオ信号はエンコードされたオーディオ信号を含む。他の実施形態では、デジタルオーディオ信号は、ストリーミングされたデジタルビデオ信号と同期されうる。
【００２８】
いくつかの実施形態では、エンコーダ５２および主エンコーダ５６は、オーディオ信号をストリーミング・サーバー６２に提供する。他の実施形態では、別個のオーディオエンコーダ（明示的には図示せず）がデジタル形式のオーディオをストリーミング・サーバー６２に提供する。他の実施形態では、エンコーダ５２および主エンコーダ５６のためのハードウェアおよび／またはソフトウェアが、ストリーミング・サーバー６２内に組み込まれて、ビデオ、オーディオおよび／またはビデオとオーディオの組み合わせのエンコードを実行するのでもよい。
【００２９】
いくつかの実施形態では、ストリーミング・サーバー６２は、ある特定の時間期間の間、ある特定の無線装置７６によって選択された特定のビデオストリームを判別する機能を有していてもよい。そのような実施形態では、ストリーミングサーバー６２は、個別の無線装置７６の操作者の閲覧性癖に関して、統計を取り込み、それをストリーミングサーバー６２内に保存するか、および／またはアプリケーションサーバー６４に提供するかしうる。たとえば、ストリーミング・サーバー６２は、ライブイベントの間のある特定の時点において見るのに、カメラ５０によって提供されるどのビデオ信号が最も人気のあるカメラ・アングルであるかについての統計を取り込みうる。よって、ストリーミング・サーバー６２は、無線装置７６（または他の装置）の操作者のカメラ・アングル選択を記録しうる。これらの選択はのちにアプリケーション・サーバー６４によって、無線装置７６の所有者に関する選択された人口統計情報と同期されうる。他の実施形態では、アプリケーション・サーバー６４はそのような統計を記録しうる。ここで、アプリケーション・サーバー６４はカメラ・アングルの選択を許容するために無線装置７６（または他の装置）と対話する。ストリーミング・サーバー６２は、典型的には諸ストリーミング・サーバーによって取り込まれた他の統計をも取り込んでもよい。
【００３０】
こうした統計は、特定の人口統計グループの、特定のカメラ・アングルまたはメディアストリームに対する全体的な選好に基づいて、ライブイベントの運営者、ライブイベントの出演者または他の者がライブイベントの記録物のマーケティングの目標を種々の人口統計グループに向けることを許容しうる。
【００３１】
いくつかの実施形態では、ストリーミング・サーバー６２は、セキュリティコントロールが組み込まれていて、ストリーミング・サーバー６２がストリーミング・サーバー６２の出力を受信できる無線装置７６を管理するようになっていてもよい。無線装置６２が、無線装置７６の地理的位置を示すGPS受信機を含んでいるならば、ストリーミング・サーバー６２またはアプリケーション・サーバー６４は、ライブイベントのビデオストリームを受信する権限が与えられた個別の無線装置７６のGPS座標についての制約条件を与えることができる。無線装置７６内のソフトウェアおよび／またはハードウェアが、権限のあるGSP座標の範囲外では、ビデオストリームが、個別のビデオストリームを見ることを防止しうる。
【００３２】
アプリケーション・サーバー６４（および／またはストリーミング・サーバー６２）も、どの無線装置７６がビデオストリームを受信できるかの管理を、無線装置７６の操作者に、ライブイベントへのチケットからのコード（たとえば数字コードのような）を無線装置７６に入力してそのライブイベントについてのストリーミングされたビデオを受信する権限を取得することを要求することによって行ってもよい。もう一つの例として、無線装置７６の所有者が、さまざまなライブイベントについてのストリーミングされたビデオを取得することを許容するサービスに加入するのでもよい。アプリケーション・サーバー６４（および／またはストリーミング・サーバー６２）はそのような無線装置７６の識別番号を保持しうる。そのような識別番号を使って、アプリケーション・サーバー６４、無線装置７６および／または両者の組み合わせは、特定のサービスに加入した無線装置７６だけがストリーミング・サーバー６２からのそのライブイベントのビデオを受信することが許されるようセキュリティコントロールを提供しうる。（同様のコントロールは、無線装置７６以外の他の装置についても使用できる。）
あるいはまた、別の実施形態では、無線装置７６の所有者（またはその他の使用者）が、無線装置７６に入力して、無線装置７６に特定のライブイベントについてのストリーミングされたビデオを受信することを許容するコードを購入するのでもよい。このコードは、ライブイベントのチケットが購入またはその他の仕方で取得された時点で購入されることができる。あるいはまた、このコードはライブイベント会場で取得できる。
【００３３】
いくつかの実施形態では、ライブイベントの出席者だけがストリーミング・サーバー６２からのストリーミングされたビデオを受信することを許容される。他の実施形態では、ライブイベントの会場からは遠隔の無線装置７６（または他の装置）が、ストリーミング・サーバー６２からそのライブイベントのストリーミングされたビデオを受信することを許容される。そのような実施形態では、ライブイベントの出席者および／または遠隔の視聴者は、そのライブイベントのライブビデオ、遅延されたビデオまたは記録されたビデオ（および／またはライブの、遅延された、または記録されたオーディオ）のいずれかを受信することが許可されうる。これは、ライブイベントが行われている会場の運営者、ライブイベントのプロモーター、サービスの運営者および／またはライブイベントの出演者の意向に依存する。
【００３４】
システムはまた、アプリケーション・サーバー６４をも含みうる。この実施形態では、アプリケーション・サーバー６４は、汎用コンピュータ１０のような汎用コンピュータ上で走るソフトウェアである。他の実施形態では、アプリケーション・サーバー６４は専用装置であってもよい。図２はアプリケーション・サーバー６４をストリーミング・サーバー６２、会場サーバー５８およびアプリケーション配信サーバー６６とは別個として示しているが、本発明の範囲から外れることなく、これらのサーバーのすべてが単一の物理的なコンピュータ、複数プロセッサをもつコンピュータにおいて組み合わされることもできるし、あるいはコンピュータの集合上で走らされることもできる。同様に、本発明の範囲から外れることなく、図２に示されている他のシステム、ゲートウェイおよびサーバーがアプリケーション・サーバー６４の機能と組み合わされることもできる。
【００３５】
アプリケーション・サーバー６４は、図２に示されているシステムのためのさまざまな機能を制御する。アプリケーション・サーバー６４は、無線装置７６（または他の装置）がストリーミング・サーバー６２からビデオ、オーディオおよび／またはオーディオ・ビデオを受信することを許容するための、そのような装置の登録を管理する。この実施形態では、アプリケーション・サーバー６４は登録されている各無線装置７６についての識別情報を、無線装置７６の操作者についての人口統計情報とともに集める。そのような人口統計情報は、これに限られないが、無線装置７６の操作者の名前、住所、電話番号、職場の住所、職場の電話番号、電子メールアドレス、年齢、職業、性別および／または収入を含みうる。本発明の範囲から外れることなく、他の人口統計情報が集められてもよいし、あるいは上に挙げた人口統計情報の一部は省略されてもよい。この情報は、一時に集められてもよいし、あるいはその無線装置での、別の装置（たとえばインターネット接続されたパソコン）でのあるいは諸装置の任意の組み合わせでの複数のセッションにわたって集められてもよい。アプリケーション・サーバー６４はまた、無線装置７６についての情報も集めてもよい。無線装置７６が無線電話機能を有している場合には、アプリケーション・サーバー６４は、登録プロセスの間にその無線装置７６の電話番号を取得してもよいし、および／または特定の無線装置７６に関連付けられた他の何らかの識別コードまたは識別番号を取得してもよい。
【００３６】
上記のように、本発明のシステムは、ビデオ、オーディオおよび／またはオーディオ・ビデオ信号をストリーミングするために使用されることができる。「ビデオ信号」「ビデオストリーム」などの用語が請求項において使用されるときは、それらの用語は、ビデオコンテンツを含む任意の種類の信号を広く指すことが意図され、それには限定なしに、オーディオなしのビデオ、オーディオとインターリーブされたビデオ、オーディオ信号と同期されたビデオなどが含まれる。ここでのビデオ信号、オーディオ信号またはオーディオ・ビデオ信号のいずれも、本発明の範囲から外れることなく、それらとインターリーブされたデータを有することができる。
【００３７】
アプリケーション・サーバー６４は、無線装置７６および／または特定のライブイベントについてストリーミング・サーバー６２からビデオを受信する権限を有する人物に関する記録を維持してもよい。この実施形態では、アプリケーション・サーバー６４は各イベントに関するデータをデータベースに格納する。ライブイベントについてのチケットが販売される場合には、アプリケーション・サーバー６４は、チケットに印刷されている有効なコードのリストを維持しうる。その際、これらのコードはストリーミング・サーバー６２からのビデオ、オーディオおよび／またはオーディオ・ビデオへのアクセスを管理するために使用される。チケットの盗難または紛失が報告された場合には、アプリケーション・サーバー６４は盗難または紛失されたチケットに関連付けられたコードは無効と判定できうる。こうして、そのチケット・コードを無線装置７６で使ってストリーミングされるビデオを受信しようとする人物にストリーミング・サーバー６２がビデオを提供することが防止される。他の実施形態では、そのようなセキュリティは設けられない。アクセス試行をモニタリングして、システムにアクセスしようとする繰り返される不正な試行が検出された場合に一時的または恒久的にストリーミング・サーバー６２および／またはアプリケーション・サーバー６４へのアクセスを無効にすることによって、追加的なセキュリティがアプリケーション・サーバー６４によって設けられてもよい。
【００３８】
いくつかの実施形態では、アプリケーション・サーバー６４は、無線装置７６（または他の装置）の電話番号またはその他の識別番号のリストを維持し、それによりアプリケーション・サーバー６４は、特定のライブイベントについて特定の無線装置７６がストリーミング・サーバー６２からビデオ、オーディオおよび／またはオーディオ・ビデオを受信することを許可または禁止するようストリーミング・サーバー６２に指示できる。他の実施形態では、アプリケーション・サーバー６４は、特定のライブイベントについて有効な特別なアクセスコードに関するデータを維持していてもよい。そのような実施形態では、アプリケーション・サーバー６４は、ストリーミング・サーバー６２からそのライブイベントのビデオ、オーディオおよび／またはオーディオ・ビデオを受信するための有効な認証コードを与える無線装置７６のみを許容するよう、ストリーミング・サーバー６２と対話しうる。
【００３９】
無線装置７６（または他の装置）の所有者がさまざまなライブイベントについてのサービスからビデオ、オーディオおよび／またはオーディオ・ビデオを受信するために加入している場合には、アプリケーション・サーバー６４は、電話番号および／またはその他の識別番号、セキュリティ証明書、または無線装置７６についての鍵および／またはユーザー固有の認証信用状（authentication  credential）（ユーザー名およびパスワードまたはトークンまたは鍵のような）を、ストリーミング・サーバー６２からのビデオへのアクセスを管理するために使用しうる。
【００４０】
いくつかの実施形態では、アプリケーション・サーバー６４、ストリーミング・サーバー６２およびアプリケーション配信サーバー６６は、複数のライブイベントについて複数の会場にサービスを提供するために使用されてもよい。他の実施形態では、これらのサーバーの一部または全部が会場ごとに一つ、あるいは複数の会場ごとに一つ設けられることもできる。図２に示されたシステムのさまざまな構成要素のいずれかをリンクするには、いかなる好適な通信リンクが使用されてもよい。
【００４１】
アプリケーション・サーバー６４は、イベントのタイミング、イベントの位置、イベントの標準時ゾーンおよびイベントの出演者ならびにイベントから発するストリームに関連する権利といった、特定のイベントについてのデータも維持していてもよい。前記権利は、これに限られないが、次のものを含む：利用可能期間、メンバー当たりの閲覧／再生の最大回数、ストリーム当たりの最大再生回数、バイラルマーケティングでの「友人に送る」の許可、メンバー当たりの「友人に送る」の最大数、ストリーム当たりの「友人に送る」の最大数、イベントにいなかった「友人に送る」許可またはイベントにいた他の人々（他の箇所で説明される諸方法を使ってそのことを認証することが求められる）にのみストリームを送る許可。アプリケーション・サーバー６４は、ストリーミング・サーバー６２からのストリーミングされたビデオを受信するためにアプリケーション・サーバー６４に登録したそれぞれの人物および／または無線装置７６（または他の装置）に関連付けられたデータベースを維持していてもよい。上記したように、このデータベースはユーザーについての人口統計情報、ユーザーの無線装置７６についての情報ならびに特定のユーザーがどのイベントについて参加するか、ある期間にわたってライブビデオを受信する能力を購入するかしたかに関する情報を含んでいてもよい。各メンバーは、情報がその無線装置７６またはその他の装置に提供される仕方およびその無線装置７６またはその他の装置から提供される仕方に関して個別の選好を有していてもよく、アプリケーション・サーバー６４はそれらの選好をも保持しうる。
【００４２】
アプリケーション・サーバー６４は、そのデータベースに、著作権で保護されうるコンテンツの使用を追跡するのに十分な情報を含んでいてもよい。それにより、図２に示されるシステムの使用に付随するいかなる著作権使用についても使用料が（もしあれば）支払われることができる。アプリケーション・サーバー６４はまた、ストリーミング・サーバー６２によって提供されているビデオおよび／またはオーディオ情報に関するデータをも含みうる。
【００４３】
上記したように、アプリケーション・サーバー６４はまた、無線装置７６（または他の装置）のさまざまなユーザーによるシステムの使用に関する統計情報をも取得しうる。アプリケーション・サーバー６４は、無線装置７６とアプリケーション・サーバー６４および／またはストリーミング・サーバー６２との間の各セッションを追跡して、各ユーザーが、図２に示されるシステムと対話している間に何をしたかを判別しうる。
【００４４】
アプリケーション・サーバー６４はまた、無線装置７６（または他の装置）がここに記載されている諸方法のいずれかを使ってストリーミング・サーバー６２によって出力されるビデオおよび／またはオーディオにアクセスすることをコントロールすることによって、システムのセキュリティを管理してもよい。無線装置７６による認証は、のちに、無線装置７６の記述との関連でより具体的に述べる。
【００４５】
上記したように、アプリケーション・サーバー６４は、無線装置７６のユーザーによるさまざまなアクセスパターンに関するさまざまな統計を維持しうる。アプリケーション・サーバー６４は、特定のライブイベントについて何が生起したかに関する統計をも維持しうる。アプリケーション・サーバー６４は、将来におけるライブイベントをよりよく向上させるために使われるべき、これらの統計を含むさまざまなレポートを生成しうる。これらのレポートはまた、特定のユーザーおよび／もしくは人口統計グループの使用パターンを追跡したり、ならびに／またはこれらのユーザーを目標としてメッセージを送ったりするためにも使用されうる。
【００４６】
図２に示されているシステムは、ライブイベントの出席者が無線装置７６（または他の装置）を使ってテキストメッセージ、画像および／またはビデオクリップを会場ディスプレイ６０に表示されるために送信することを許容してもよい。望ましくないメッセージ（たとえば猥褻な文言または画像）が会場ディスプレイ６０に現れるのを防ぐために、無線装置７６からのメッセージはアプリケーション・サーバー６４に、この実施形態ではSMS/MMSゲートウェイ６８を通じて送られる。メッセージはアプリケーション・サーバー６４によって受信される。ある実施形態では、アプリケーション・サーバー６４は、会場ディスプレイ６０に表示されることが意図されているメッセージから自動的に削除されるべき単語のリストを含んでいる。この機能は任意的であり、本発明の範囲から外れることなく省略できる。そのような実施形態においてメッセージから悪い単語が削除されたのち、メッセージは公開ワークステーション７７に与えられる。そこでは、人間のモデレーターがその内容が会場ディスプレイ６０に表示されることを許可するか禁止するかを選択したり、および／または内容を編集したりしうる。いくつかの実施形態では、メッセージはレビュー・ワークステーション７５にも送られてもよい。そのライブイベントに関連した広告主または他の任意の人物によるレビューのためである。レビュー・ワークステーション７５は、別の人物が、会場ディスプレイ６０での表示のために（あるいは場合によってはライブイベントの間またはその終結後のストリーミングのために）内容を承認または不承認することを許容してもよい。公開ワークステーション７７および／またはレビュー・ワークステーション７５の一方または両方を使ってレビューが行われたのち、その内容は、会場サーバー５８を使って会場ディスプレイ６０に表示するために、アプリケーション・サーバー６４に送られうる。会場サーバー５８は、表示のために出席者のコンテンツを含んでいるビデオ信号を与えうる。人間または自動化プロセスが、会場サーバー５８に与えられたコンテンツが会場ディスプレイ６０に表示されるかどうかを管理してもよい。
【００４７】
SMS/MMSゲートウェイ６８は、汎用コンピュータ１０のような汎用コンピュータ上で走るソフトウェアでありうる。SMS/MMSゲートウェイ６８の機能は、本発明の範囲から外れることなく、ハードウェアおよび／またはソフトウェアのいかなる組み合わせによって提供されてもよい。
【００４８】
同様のサービスは、アプリケーション・サーバー６４によって無線装置７６（または他の装置）に、無線装置７６（または他の装置）を使って取ったデジタルスチール画像、ビデオ、オーディオおよび／またはオーディオ・ビデオについて提供されてもよい。こうして、図２に示されたシステムは、ライブイベントの出席者が、出席者が自分で作成したスチール画像、ビデオ、オーディオおよび／またはオーディオ・ビデオ・クリップを、コンサートの他の出席者と共有することをも許容する。こうした画像、ビデオ、オーディオおよび／またはオーディオ・ビデオ・クリップは、無線装置７６（または他の装置）によってアプリケーション・サーバー６４に、SMS/MMSゲートウェイ６８を通じて、あるいはオーディオの場合には、声のネットワークを介して（ユーザーが電話番号に電話をかけ、ボイスメール・メッセージを残し、それをアプリケーション・サーバーが拾って処理する）提供されうる。次いでアプリケーション・サーバー６４は画像、ビデオ、オーディオおよび／またはオーディオ・ビデオ・クリップを公開ワークステーション７７に、および任意的にレビュー・ワークステーション７５に提供しうる。そこでは人間のモデレーターがそれが会場ディスプレイ６０に表示されることを許容するか表示されないことを許容するかを（あるいは、オーディオ・クリップの場合は会場のアナウンスシステムで再生されることを許容するかどうかを）選びうる。モデレーターによって承認されたいかなるクリップまたはメッセージも、次いで、アプリケーション・サーバーによって会場サーバー５８に表示または再生のために送信される。SMS/MMSゲートウェイは、汎用コンピュータ１０のような汎用コンピュータ上で走っているソフトウェアであってもよい。SMS/MMSゲートウェイの機能は、本発明の範囲から外れることなく、ハードウェアおよび／またはソフトウェアのいかなる組み合わせによって提供されてもよい。
【００４９】
アプリケーション・サーバー６４は、紛失または盗難された電話またはその他の無線装置７６のリストも維持していてもよい。ここで、電話またはその他の無線装置７６が紛失または盗難されたことは、ユーザーが報告したものである。このリストによってアプリケーション・サーバー６４は、ストリーミング・サーバー６２がライブイベントのライブビデオ、オーディオおよび／またはスチール画像を紛失または盗難された無線装置７６に提供することを防止することができる。あるいはまた、この情報によってアプリケーション・サーバー６４は無線装置７６を制御して、ビデオまたはその他の視覚的コンテンツが特定の無線装置７６によって表示されることができず、受信されるいかなるオーディオ情報も無線装置７６のスピーカーに出力されることが防止されるようにできる。
【００５０】
ここで論じてきたように、会場ディスプレイ６０は、ライブイベントのライブビデオがライブイベントの間に表示されることを許容しうる。さらに、会場ディスプレイ６０は、イベントに先立って、中休みの間に、および／またはイベント後に事前に記録されたコンテンツが表示されることを許容してもよい。会場ディスプレイ６０はまた、ライブイベントの出席者によってアプリケーション・サーバー６４に提供されるテキストメッセージ、写真、ビデオおよび／または画像を表示するためにも使用されうる。最後に、会場ディスプレイ６０は、会場の運営者によって会場サーバー５８を使ってアナウンスを提供するために使用されうる。
【００５１】
この実施形態では、アプリケーション・サーバー６４はSMTPサーバー７０を使って電子メールメッセージを無線装置７６（または他の装置）に送信しうる。そのような電子メールは、広告、リマインダーおよび／またはアンケートを無線装置７６（または他の装置）に送信するために使用されうる。無線装置７６は、アンケートへの電子メール応答をアプリケーション・サーバー６４に返送してもよい。SMTPサーバー７０は、汎用コンピュータ１０のような汎用コンピュータ上で走っているソフトウェアであってもよい。SMTPサーバー７０の機能は、本発明の範囲から外れることなく、ハードウェアおよび／またはソフトウェアのいかなる組み合わせによって提供されてもよい。
【００５２】
この実施形態では、アプリケーション・サーバー６４はテキストおよび／またはマルチメディアメッセージを無線装置７６（または他の装置）にSMS/MMSゲートウェイ１０またはSMTPサーバー７０を使って送信しうる。そのようなメッセージまたは電子メールは、広告、リマインダーおよび／またはアンケートを無線装置７６（または他の装置）に送信するために使用されうる。無線装置７６は、アンケートまたはその他のメッセージへの応答をアプリケーション・サーバー６４に返送してもよい。SMTPサーバー７０は、汎用コンピュータ１０のような汎用コンピュータ上で走っているソフトウェアであってもよい。SMTPサーバー７０の機能は、本発明の範囲から外れることなく、ハードウェアおよび／またはソフトウェアのいかなる組み合わせによって提供されてもよい。
【００５３】
イベント・マーケティング・システム７２は、この実施形態では、これからのライブイベントについての情報を提供するウェブサイトおよび／またはデータベースを含む。イベント・マーケティング・システム７２はまた、図２に示されているシステムによって提供されるライブビデオおよび／またはオーディオ・サービスを宣伝してもよい。いくつかの実施形態では、イベント・マーケティング・システム７２はまた、無線装置７６のユーザーまたは他の装置のアプリケーション・サーバー６４での登録を助けてもよい。イベント・マーケティング・システム７２はまた、イベントについての情報を、アプリケーション・サーバー６４に付随するデータベースに保存するためにアプリケーション・サーバー６４に提供してもよい。この実施形態では、イベント・マーケティング・システム７２は汎用コンピュータ１０のような汎用コンピュータ上で走っているウェブサイトである。イベント・マーケティング・システム７２は、本発明の範囲から外れることなく、ハードウェアおよびソフトウェアのいかなる組み合わせであってもよい。イベント・マーケティング・システム７２は、本発明の範囲から外れることなく、チケット管理システム７４と同じシステムであることもできる。
【００５４】
チケット管理システム７４は、汎用コンピュータ１０のような汎用コンピュータ（または複数のコンピュータ）であってもよい。チケット管理システム７４は、本発明の範囲から外れることなく、ハードウェアおよび／またはソフトウェアのいかなる組み合わせであってもよい。この実施形態では、チケット管理システム７４は、チケットが購入される際に、あるいは購入の前、間または後にバッチファイルで、有効なチケット・コードについての情報をアプリケーション・サーバー６４に提供しうる。こうして、アプリケーション・サーバー６４は、チケット管理システム７４によって報告される、特定のライブイベントについての有効なコードのデータベースを維持しうる。いくつかの実施形態では、有効なチケット・コードはアプリケーション・サーバー６４によって電話番号、人の名前、人の住所、人の電子メールアドレスまたは人に関連付けられるその他の識別データにリンクされてもよい。他の実施形態では、チケット・コードは、アプリケーション・サーバー６４によって無線装置７６（または他の装置）に関連付けられた識別コードにリンクされてもよい。
【００５５】
図２に示されるシステムはまた、アプリケーション配信サーバー６６をも有する。この実施形態では、アプリケーション配信サーバー６６は、汎用コンピュータ１０のような汎用コンピュータ上で走っているソフトウェア・アプリケーションである。アプリケーション配信サーバー６６は、本発明の範囲から外れることなく、ハードウェアおよび／またはソフトウェアのいかなる組み合わせであってもよい。この実施形態では、アプリケーション配信サーバー６６は、無線装置７６（または他の装置）がストリーミング・サーバー６２からオーディオ、ビデオおよび／またはオーディオ／ビデオストリームを受信するためにアプリケーション・サーバー６４との通信を容易にするためのソフトウェアの最新バージョンを保存している。上記したように、いくつかの実施形態では、アプリケーション配信サーバー６６によって提供されるソフトウェアを使って無線装置７６によって提供されるスチール写真を受信してもよい。アプリケーション配信サーバー６６は、旧バージョンのソフトウェア・アプリケーションをもつ無線装置７６が現行バージョンに更新することを許容してもよい。
【００５６】
明示的に図示されてはいないが、アプリケーション・サーバー６４は、小売り位置におけるPOS（point  of  sale）ディスプレイとのインターフェースをも有していてもよい。ストリーミング・サーバー６２からのオーディオ／ビデオ／画像ストリームを提供し、これからのイベント、サービスについてのプロモーションおよび／またはアプリケーション・サーバー６４によって維持されている他の任意の情報を提供するためである。
【００５７】
図２のシステムはまた、複数の無線装置７６をも含んでいる。上記したように、本システムは、無線接続ではなく有線接続を使ってストリーミング・サーバー６２に接続されている複数のその他の装置を含むこともできる。有線および無線装置の組み合わせを使ってもよい。この実施形態では、無線装置７６は持ち運び型であっても持ち運びできなくてもよい。いくつかの実施形態では、無線装置７６はハンドヘルド装置である。無線装置７６は、たとえば、汎用コンピュータ１０のようなパーソナルコンピュータであってもよい。たとえば、無線リンクをもつラップトップコンピュータは無線装置７６としてはたらくことができる。他の実施形態では、無線装置７６は携帯情報端末（personal  digital  assistant）である。他の実施形態では、無線装置７６は無線電話機である。他の実施形態では、無線装置７６の代わりに、あるいは無線装置７６に加えて、タッチスクリーン有線システムが本システムに接続されていてもよい。本発明のシステムは、本発明の範囲から外れることなく、そのような諸装置の混成ならびに有線および無線の諸装置の混成を含んでいてもよい。
【００５８】
無線装置７６は、ストリーミングされるデジタルビデオ、オーディオおよび／またはオーディオ／ビデオの再生を許容するコンピュータソフトウェアであってもよい。そのようなソフトウェアは、本発明の範囲から外れることなく、ビデオ信号と組み合わされた（および／またはビデオ信号と別個にストリーミングされるがビデオ信号に同期されている）オーディオ信号ならびに／またはビデオ信号のないオーディオ信号の処理を許容してもよい。
【００５９】
無線装置７６は、無線装置７６上で走っているソフトウェア・アプリケーションを使って、ストリーミング・サーバー６２からビデオ、画像、オーディオおよび／またはオーディオ・ビデオを受信するよう動作可能にされることができる。ソフトウェア・アプリケーションは、アプリケーション配信サーバー６６から取得されてもよいし、当該装置上にあらかじめ組み込まれていてもよいし、あるいはこの実施形態における他のいかなる手段によって当該装置にインストールされてもよい。無線装置７６をアプリケーション・サーバー６４とのインターフェースをもたせるのに使用されるソフトウェア・アプリケーションは、無線装置７６に付随するディスプレイ上でストリーミングされたビデオを再生するためのソフトウェアを含んでいてもいいし、含んでいなくてもいい。いくつかの実施形態では、無線装置７６上の別個のソフトウェアがストリーミングされたビデオを処理するために使用されてもよい。ある実施形態では、ストリーミング・サーバー６２からのビデオストリームを再生するために使用されるソフトウェアは、ウィンドウズ（登録商標）・メディア・プレーヤーであってもよい。代替的な実施形態として、これに限られないが、MPEG4ビデオプレーヤーを使用してもよい。しかし、ストリーミングされたデジタルビデオ、画像、オーディオおよび／またはオーディオ・ビデオを受信し、それを無線装置７６に付随するディスプレイに出力する機能のあるソフトウェアのいかなる選択も、本発明の範囲から外れることなく使用されうる。
【００６０】
いくつかの実施形態では、無線装置７６上の、アプリケーション・サーバー６４とのインターフェースをもたせるソフトウェア・アプリケーションは、無線装置７６をアプリケーション・サーバー６４で登録して無線装置７６がサービスを受けられるようにすることを許容する。代替的な実施形態では、登録はイベント・マーケティング・システム７２、チケット管理システム７４および／またはインターネットならびに／または任意の組み合わせを通じて実施されうる。
【００６１】
いくつかの実施形態では、無線装置７６上で走っているソフトウェア・アプリケーションは、先に論じた仕方の一つで無線装置７６をアプリケーション・サーバー６４に対して認証することによって、アプリケーション・サーバー６４とのセッションを開く。認証後、ソフトウェア・アプリケーションおよび無線装置７６は、無線装置７６のユーザーに一連のオプションを呈示しうる。一つのオプションは、ライブイベントについてのビデオストリーム（カメラ・アングル）を選択することでありうる。可能な選択のメニューが、アプリケーション・サーバー６４によって無線装置７６に提供されうる。無線装置７６のユーザーがオプションの一つを選択したのち、無線装置７６はストリーミング・サーバー６２を通じて特定のカメラ５０からのビデオを受信しうる。いくつかの実施形態では、ユーザーは、カメラ５０の一つまたは複数によって提供される定期的なスチール画像を選択するという追加的なオプションを有していてもよい。このオプションもメニューを通じて提供されてもよい。ビデオ選択オプションは、ユーザーが、会場ディスプレイ６０に表示されている信号を見ることを許容してもよい。ステップの特定の順序または特定のステップを含めるか除外するかは、本発明の範囲から外れることなく変更できる。ライブイベントによっては、システムはさまざまな事前に記録されたコンテンツをストリーミング・サーバー６２上に保存していることがある。事前に記録されたコンテンツの例は、ライブイベントでの出演者についての解説、出演者とのインタビューおよび／または出演者のスチール写真を含みうる。ユーザーは、無線装置７６を使ってこの事前に記録されたコンテンツを選択するオプションをも有しうる。
【００６２】
さまざまなイベント（スポーツイベントのような）においては、無線装置７６のユーザーは、直前のプレーの一つまたは複数のカメラ・アングルからのリプレイを選択するオプションをも有しうる。そのような実施形態では、利用可能なオプションはメニューを使って無線装置７６のユーザーに呈示されることになる。するとユーザーは自分の選択を入力して、直前のプレーのリプレイを見ることができる。いくつかの実施形態では、複数のプレーのリプレイが無線装置７６に利用可能でありうる。
【００６３】
上記したように、無線装置７６は、認証を通じてアプリケーション・サーバー６４とのセッションを確立しうる。いくつかの実施形態では、アプリケーション・サーバー６４、ストリーミング・サーバー６２および／または他の任意のサーバーが、ストリーミング・サーバー６２から受信されたビデオ、オーディオおよび／またはオーディオ・ビデオ・ストリームまたはファイルの復号を許容する認証鍵を無線装置７６に提供しうる。他の実施形態では、認証プロセスが無線装置７６に、その特定の無線装置７６に直接送られるビデオストリームを受信することを許容する。他の実施形態では、認証プロセスは、受信されたビデオストリームが無線装置７６のディスプレイに出力されることを許容する。他の実施形態では、無線装置７６がストリーミング・サーバー６２にストリームの送信を要求することを許容するために、無線装置７６に証明書またはトークンが与えられうる。本発明の範囲から外れることなく、いかなる種類の認証が使用されてもよい。
【００６４】
これらの動作のそれぞれの間、アプリケーション・サーバー６４は、無線装置７６と図２のシステムの残りとの間の対話を容易にするために、無線装置７６と通信する。他の実施形態では、アプリケーション・サーバー６４は単に認証情報を無線装置７６に提供することができるだけで、ライブイベントの残りについて無線装置７６の動作を追跡することはしない。
【００６５】
いくつかの実施形態では、無線装置７６上で走っているソフトウェア・アプリケーションは、無線装置７６を使って作成されたテキストメッセージ、画像および／またはビデオおよび／またはオーディオ・クリップを、会場ディスプレイ６０上での表示（あるいはオーディオの場合は放送）の可能性のために送ることを許容してもよい。そのような内容は、アプリケーション・サーバー６４を通じて公開ワークステーション７５に提供されうる。そこでは、オペレーターが会場ディスプレイ６０にどの内容を表示するかを決定する。
【００６６】
いくつかの実施形態では、ソフトウェアおよび無線装置７６は、無線装置７６の操作者が、ライブイベントにおける他の人々とゲーム（たとえばトリビアゲーム）をプレイすることを許容する。ゲームは会場ディスプレイ６０上に表示される情報を使ってプレイされてもよい。
【００６７】
いくつかの実施形態では、無線装置７６上で利用可能なソフトウェアは、アプリケーション・サーバー６４と対話しうる。ビデオストリーミング・サービスが利用可能でありうるこれからのイベントのイベント・カレンダーを無線装置７６に提供するためである。任意的に、イベント・カレンダーは、無線装置７６の操作者が将来のイベントでのライブビデオサービスを申し込んだり、および／またはチケットを購入したりすることを許容するよう、双方向性であってもよい。
【００６８】
上記したように、無線装置７６は任意的に、ストリーミング・サーバー６２からストリーミングされるオーディオを、ビデオ信号の一部として、別個の信号として、あるいはストリーミング・サーバー６２によって提供されるビデオ信号に同期された別個の信号として受信するよう具備されうる。無線装置７６上のソフトウェアは、ユーザーに、ストリーミング・サーバー６２からのストリーミングされたビデオ信号を、オーディオ信号と一緒、あるいはオーディオ信号なしで見るオプションを提供しうる。
【００６９】
いくつかの実施形態では、システムは無線装置７６の所有者に、ライブイベントの一部または全部を、イベントが終結した後に見ることを許容する。そのような実施形態では、ストリーミング・サーバー６２または別の装置は、ライブイベントの一部または全部をその進行中にキャッシングまたは記録する。無線装置７６はアプリケーション・サーバー６４と対話して、ストリーミング・サーバー６２をして過去のライブイベントからのコンテンツを特定の無線装置７６に提供させうる。いくつかの実施形態では、無線装置７６が同じコンテンツを再閲覧できる回数が制限されてもよい。他の実施形態では、ライブイベント終結後の時間制限が設けられて、その時間期間が満了したあとは無線装置７６の操作者がもはやそのライブイベントからのコンテンツの一部または全部を見ることができないようにしてもよい。さらに、特定のコンテンツを閲覧できる総回数が、コンテンツ、イベントまたはその他に基づいて制限されてもよい。無線装置７６、アプリケーション・サーバー６４および／またはストリーミング・サーバー６２上のソフトウェアは、無線装置７６がストリーミング・サーバー６２から受信したコンテンツを記録するかエクスポートする機能を制御するよう対話してもよい。こうして、図２に示されたシステムは、ライブイベントにおける出演者の著作権の保護を許容しうる。
【００７０】
いくつかの実施形態では、ソフトウェアおよび無線装置７６は、特定のライブイベントからのコンテンツを友人と共有するためにアプリケーション・サーバー６４と対話してもよい。そのような実施形態では、無線装置７６は、無線装置７６の操作者がコンテンツを共有したい友人についての情報をアプリケーション・サーバー６４に提供しうる。するとアプリケーション・サーバー６４は、そのようなコンテンツをその友人に、ストリーミング・サーバー６２を使って提供しうるわけで、そのコンテンツをその友人の無線装置７６（またはその他の装置）に提供する。アプリケーション・サーバー６４は、ある特定の無線装置がコンテンツを共有できる友人の数を制御してもよいし、および／またはあるコンテンツが無線装置７６の操作者の友人によって閲覧されうる回数を制限してもよい。さらに、ストリーミング・サーバー６２によって提供されるコンテンツを友人が見ることを許容される時間期間がアプリケーション・サーバー６４を使って制御されてもよい。
【００７１】
さらに、特定のコンテンツが友人に提供されるか友人によって閲覧されるかできる総合的な総回数がコンテンツ、イベントまたはその他に基づいて制限されてもよい。
【００７２】
いくつかの実施形態では、アプリケーション配信サーバー６６から受信され、無線装置７６上で走るソフトウェア・アプリケーションは、システムのさまざまな機能の使い方および／または質問、フィードバックもしくはその他の一方向もしくは双方向通信についてシステムの運営者への連絡方法についての案内を提供するためのヘルプ機能を提供していてもよい。
【００７３】
いくつかの実施形態では、アプリケーション・サーバー６４およびストリーミング・サーバー６２はさまざまな無線装置７６と一緒に、ライブイベントが行われている会場外の無線または有線装置の機能を制限してストリーミング・サーバー６２によって提供されるビデオおよび／またはオーディオを受信させないようにしてもよい。他の実施形態では、図２に示されたシステムは、ライブイベントが行われている会場から遠隔の無線装置７６（またはその他の有線もしくは無線の装置）がストリーミング・サーバー６２からのビデオおよび／またはオーディオまたはその他のコンテンツをイベントの進行中に受信することを許容してもよい。そのような実施形態では、遠隔の無線装置７６（またはその他の装置）はコンテンツをリアルタイムに近い形で受信することも、遅延された形で受信することもできる。
【００７４】
動作について見てみると、複数のカメラ５０がライブイベントの間にビデオを取り込み、ビデオ信号をエンコーダ５２およびビデオ・ミキシング・ボード５４に提供する。ビデオ・ミキシング・ボード５４は今度はビデオ信号を主エンコーダ５６に提供する。エンコーダ５２および主エンコーダ５６からのビデオ信号はストリーミング・サーバー６２に提供され、エンコードされたメディアを記述するメタデータがアプリケーション・サーバー６４に提供されてもよい。イベント中のさまざまな時点において、カメラ５０のうち一つまたは複数からのビデオが会場サーバー５８の制御のもとに任意的な会場ディスプレイ６０に提供されてもよい。いくつかの実施形態では、情報およびコンテンツは、メンバーに利用可能にされるのに先立って、アプリケーション・サーバー６４によって公開ワークステーション７７および／またはレビュー・ワークステーション７５に提供されてもよい。
【００７５】
イベントの間、一つまたは複数の無線装置７６（またはその他の装置）は、ストリーミング・サーバー６２からストリーミングされるビデオ、オーディオ、オーディオ／ビデオならびに／またはスチール画像を受信しうる。いくつかの実施形態では、無線装置７６がストリーミング・サーバー６２から受信されるコンテンツを受信、復号および／または表示することのいずれかを許容するために、無線装置７６がアプリケーション・サーバー６４を使って認証されてもよい。本発明は、ライブイベントにおける出席者に、複数のカメラ・ビューのうちの一つを、無線装置７６および／またはビデオ信号を受信する機能のある別の装置上で見るために選択することを許容しうる。
【００７６】
アプリケーション・サーバー６４が無線装置７６と通信するのはさまざまな仕方があり、上述したようなアプリケーション配信サーバー６６、SMS/MMSゲートウェイ６８および／またはSMTPサーバー７０を通じて、ならびに／またはn層（n-tiered）クライアント／サーバー構成におけるTCP/IPまたはその他のネットワークプロトコルを介してであってもよい。
【００７７】
図３は、本発明に基づく例示的な無線装置７６の動作を記述するフローチャートを示している。ステップ９０では、無線装置７６および／または無線装置７６を操作しているユーザーがアプリケーション・サーバー６４を使って認証される。するとアプリケーション・サーバー６４は無線装置７６（たとえばクライアント・ソフトウェア・アプリケーション）および／またはストリーミング・サーバー６２に、その特定の無線装置７６がストリーミング・サーバー６２からコンテンツを受信することを許容するために十分な情報を通信する。
【００７８】
ステップ９２では、メニュー選択がユーザーに提供される。図３は、多くのメニュー選択肢を示している。本発明の範囲から外れることなく、他のメニュー選択肢が提供されてもよいし、図３に示したメニュー選択肢の一部が省略されてもよい。
【００７９】
リプレイ・オプションが選択された場合、ステップ９４でリプレイのためのさまざまなオプションが無線装置７６上に表示され、どのリプレイ・オプションを選択するかについてのユーザーからの入力が受信される。リプレイ・オプションはカメラ・アングル、ライン・カット（line  cut）および／またはイベントがスポーツイベントであればリプレイを受信したい特定のプレーを含みうる。ステップ９６では、選択されたオプションが実行され、関連するコンテンツがストリーミング・サーバー６２から受信され、無線装置７６のディスプレイ上に表示されもする。
【００８０】
ステップ９２でライブ・オプションが選ばれた場合、ライブ閲覧のためのオプションがステップ９８で表示され、好ましい表示オプションについての入力がユーザーから受領される。表示オプションは、複数のカメラ５０のうち一つまたは複数によって提供されるさまざまなカメラ・アングル、ビデオおよび／またはスチール写真を受信するオプション、オーディオをビデオと一緒に受信するかビデオなしで受信するかのオプション、以上の組み合わせならびに／または他の任意の関連するオプションを含みうる。ステップ１００では、選択されたオプションが実行されることができ、ビデオ（またはスチール写真）がディスプレイ上に表示され、あるいはオーディオが装置のスピーカーもしくはヘッドセットまたは外部スピーカーから再生される。特定の選択がなされたのち、メニュー選択肢を表示させ、ステップ９２で新たな選択をさせるために、ステップ１１２で何らかの入力が要求されてもよい。あるいは、ユーザーは、入力装置を使って、たとえば電話のキーパッドの数字を押すことによって別の選択肢を選ぶことによって該別の選択肢に切り換えることができてもよい。それにより現在のビューを中断して、アプリケーションにビューを切り換えさせるのである。
【００８１】
ステップ９２でユーザーがイベント・オプションを選択する場合、ステップ１０２でイベント・カレンダーが表示される。任意的に、この特定の実施形態があるサービスへの申し込み、チケットの購入および／または将来のイベントに関連する他の何らかのオプションを許容する場合には、ステップ１０２でイベント・カレンダーが表示されたのち、それらのオプションがユーザーに呈示される。
【００８２】
ステップ９２でもしユーザーが選好を変更することを選んだ場合、ステップ１０４で選好のメニューが表示される。また、ステップ１０４では、ユーザーは自分の選好を入力することができ、それらの選好は次いでステップ１０６で調整されることになる。選好の調整は、無線装置７６（たとえばクライアント・アプリケーションを通じた）とアプリケーション・サーバー６４との間の将来の対話の際のデフォルト選好として使用される情報をアプリケーション・サーバー６４に提供することを含みうる。
【００８３】
ステップ９２でコンテンツをスクリーンへというオプションが選択された場合、ステップ１０８でユーザー・コンテンツが受信される。上記したように、そのようなコンテンツは無線装置７６を使って作成されたテキスト、スチール写真、ビデオ、オーディオおよび／またはオーディオ・ビデオ・クリップを含みうる。ステップ１１０では、関連するコンテンツがたとえばSMS/MMSゲートウェイ６８を使ってアプリケーション・サーバー６４に送信される。するとアプリケーション・サーバー６４はそのコンテンツを公開ワークステーション７７に、会場ディスプレイ６０上での会場ディスプレイ・オペレーターの管理の下での表示のために送信しうる。
【００８４】
いくつかの実施形態では、ユーザー・コンテンツは他の手段によってアプリケーション・サーバー６４に送信されてもよい。たとえば、ユーザーはコンテンツを取り込むか作成するかし、次いでそのコンテンツをアプリケーション・サーバー６４に短いコードまたは電子メールアドレスのような宛先アドレスを使って送ってもよい。
【００８５】
本発明について詳細に述べてきたが、付属の請求項によって定義される本発明の領分および範囲から外れることなく、さまざまな変更、代替および改変をなすことができる。
【００８６】
特許庁および本出願に対して発行される何らかの特許の何らかの読者がここに付属される請求項を解釈するのを助けるため、出願人は、付属の請求項のいずれについても、特定の請求項において「ための手段」または「ための段階（ステップ）」が使われていない限り、本願出願日における米国特許法第１１２条第６項に該当することは意図していないことを注記したいと思います。
【図面の簡単な説明】
【００８７】
【図１】本発明に従って使用されうる汎用コンピュータのブロック図である。
【図２】本発明に基づく、ライブイベントのビデオを提供するために使用されうるシステムの例示的なアーキテクチャを示す図である。
【図３】本発明のある実施形態に基づく、ライブイベントのビデオを取得するためのポータブルデジタル装置を操作する方法を示す図である。
【符号の説明】
【００８８】
１２  プロセッサ
１８  マウス
２２  ディスクドライブ
２４  プリンタ
２６  ディスプレイ
２８  通信リンク
５０  カメラ
５２  エンコーダ
５４  ビデオ・ミキシング・ボード
５６  主エンコーダ
５８  会場サーバー
５９  ビデオ配信システム
６０  会場ディスプレイ
６２  ストリーミング・サーバー
６４  アプリケーション・サーバー
６６  アプリケーション配信サーバー
６８  SMS/MMSゲートウェイ
７０  SMTPサーバー
７２  イベント・マーケティング・システム
７４  チケット管理システム
７５  レビュー・ワークステーション
７６  無線装置
７７  公開ワークステーション
９０  装置／ユーザーを認証
９２  メニュー選択肢を選ぶ
９４  リプレイ・オプションが表示され、入力を受領
９６  選択されたオプションを実行
９８  ライブ・オプションが表示され、入力を受領
１００  選択されたオプションを実行
１０２  イベント・カレンダーを表示
１０４  選好のメニューを表示し、入力を受領
１０６  選好を調整
１０８  ユーザー・コンテンツを受領
１１０  コンテンツをサーバーに送信
【図１】
2008520163.tif 000003
【図２】
2008520163.tif 000004
【図３】
2008520163.tif 000005
【国際調査報告】
2008520163.tif 000006